(57)【要約】      本発明は、コンピュータ装置の数量を監視するための方法であって：−時間の経過と共に数量によって採用される値を測定するステップ（２０２）、−少なくとも１つの送信基準を満たす測定値または極値を判定するステップ（２１０）であって、送信基準／複数基準が：極値が局所的極値であることを含む極値によって満たされるステップおよび−極値を送信するステップ（２１８）を含む方法に関する。【選択図】  図３
2014533856.tif 000002
【特許請求の範囲】
【請求項１】
コンピュータ装置の数量を監視するための方法であって：
−時間の経過と共に前記数量によって採用される値を測定するステップ（２０２）であって、それがさらに：
−少なくとも１つの送信基準を満たす測定値または極値を判定するステップ（２１０）であって、前記送信基準／複数基準が：前記極値が局所的極値であり、かつ前記極値が所定の差異より大きい送信される最後の局所的極値との差異を有することを含む前記極値によって満たされるステップ、
−通信ネットワーク経由で管理サーバに前記極値を送信するステップ（２１８）を含むことを特徴とする方法。
【請求項２】
前記送信される最後の局所的極値または小変化の前の最後の局所的極値の後に、１つまたは複数の測定値、または、各々が前記所定の差異未満の小変化の前の前記最後の局所的極値との差異を有する、小変化値が続くことを特徴とする請求項１に記載の監視方法。
【請求項３】
請求項２に記載の監視方法であって、更に：
−前記最後の小変化値、すなわち前記所定の差異より大きい小変化の前の前記最後の局所的極値との差異を有する測定値が後に続く前記小変化値を判定するステップ（２０８、２３０）、
−前記最後の小変化値を送信するステップ（２３８）を含む監視方法。
【請求項４】
請求項１−３のいずれかに記載の監視方法であって、更に：
−交差値およびそれに先行する測定値の１つが所定の閾値より大きく、一方、残りの値がこの所定の閾値未満であるように、前記測定値または前記交差値を判定するステップ（２０４）、
−前記交差値を送信するステップ（２０６）を含む監視方法。
【請求項５】
前記極値および／または前記最後の小変化値および／または前記交差値以外の前記測定値が、送信されないことを特徴とする請求項１−４のいずれかに記載の監視方法。
【請求項６】
前記監視された数量が、前記コンピュータ装置の電気消費量であることを特徴とする請求項１−５のいずれかに記載の監視方法。
【請求項７】
各コンピュータ装置が通信ネットワーク経由で同じ管理サーバに接続されるコンピュータ装置の数量を監視するための方法であって：各コンピュータ装置に対して、前記送信された値（複数値）が、前記通信ネットワーク経由で前記管理サーバに送信されることを特徴とする請求項１−６のいずれかに記載の方法を実行するステップを含む方法。
【請求項８】
通信ネットワークからダウンロード可能な、および／またはコンピュータ可読媒体上に保存される、および／またはプロセッサによって実行可能な、コンピュータプログラムであって、それが、前記プログラムが少なくとも１台のコンピュータ上で実行される時、請求項１−７のいずれかに記載の監視方法のステップを実行するための命令を含むことを特徴とするコンピュータプログラム。
【請求項９】
コンピュータ装置の数量を監視するためのコンピュータ装置であって：
−時間の経過と共に前記数量によって採用される値を測定するための手段を備え、それが更に：
−少なくとも１つの送信基準を満たす、測定値または極値を判定するための手段であって、前記送信基準／複数基準が：前記極値が局所的極値であり、および、前記極値が所定の差異より大きい送信される最後の局所的極値との差異を有する、ことを含む前記極値によって満たされる手段、
−通信ネットワーク経由で管理サーバに前記極値を送信するための手段を備えることを特徴とするコンピュータ装置。
【発明の詳細な説明】
【技術分野】
【０００１】
本発明は、コンピュータ装置の数量を監視するための方法に関する。
【０００２】
本発明は有利には、連続的に変化する数量、すなわち時間の経過と共に連続的に変化するそれの値―たとえば、１秒につき少なくとも一度変化するそれの値の場合に適用される。
【０００３】
それはさらにコンピュータ装置の数量を監視するための方法とともに、コンピュータプログラムおよび関連する装置に関する。
【背景技術】
【０００４】
本記述内におよび請求項内に、以下の用語が使用される。
【０００５】
本発明は一連の値の数量、すなわち、時間の経過と共に等しく分散されるかまたはされない離散時間における数量によって採用される連続した値を使用する。
【０００６】
２つの値の間の差異は、値の差異を示し、かつタイミング差異でない。
【０００７】
別の値に先行する値は、値の順序におけるこの他の値の直前に位置する値である（それらの間には何の値もない）。
【０００８】
別の値に続く値は、値の順序におけるこの他の値の直後に位置する値である（それらの間には何の値もない）。
【０００９】
別の値に関する先の値は、値の順序におけるこの他の値の前に位置する値である（それらの間に１つまたは複数の値があることができる）。
【００１０】
別の値に関する次の値は、値の順序におけるこの他の値の後に位置する値である（それらの間に１つまたは複数の値があることができる）。
【００１１】
局所的極値は、それに先行する値およびそれに続く値の両方より大きいか、又はそれ未満の値である。
【００１２】
小変化値は、小変化の前の最後の局所的極値と称する、それとともに所定の差異未満の差異を有する、かつそれに続くか、またはそこから１つまたは複数の他の小変化値だけによって隔てられる、すなわち、各々がそれに伴う所定の差異未満の差異を有する、送信される局所的極値に関する次の値である。
【００１３】
最後の小変化値は、所定の差異より大きい小変化の前の最後の局所的極値との差異を有する測定値が後に続く小変化値である。
【００１４】
ほとんどのコンピュータ装置監視アプリケーションは、まだ現在でも、監視されるコンピュータ装置から情報を得るために、管理サーバによってトリガーされる規則的なクエリ法を使用する。
【００１５】
この種のアプリケーションが少数のコンピュータ装置を監視する時、この方法は複数の利点を有するが、監視されるコンピュータ装置の数が、たとえば集中的な計算のために大きな組のコンピュータ装置（「クラスタ」と称する）の場合に増加する時、この方法は、間もなくそれの限界に到達する：実際に、管理サーバによって送信されるクエリは、監視されるコンピュータ装置の数とともに線形に増加し、かつ管理ネットワークのパスバンドまたは管理サーバで利用可能なパワーの飽和に至る。
【００１６】
この状況に対する従来の応答は、「プッシュ」モード監視への切換えのそれである：監視されるコンピュータ装置が、管理サーバに前記装置に関する情報の項目を送信するために主導をとり、それは、これらの通知のために待機上に連続的に留まる。このアプローチは、故障、温度閾値オーバーシュートのような、「不測の」または偶然の事象を報告することに完全に適している。実際に、これらの事象は頻度が低く、および事象の発生の時間だけでの関連する情報の、問題のコンピュータ装置からの送信によって管理サーバによって送信されるしばしば不必要な規則的なクエリを置換することは、管理サーバ上のネットワークパスバンドおよび処理パワーに対するニーズをそれの最低限にまで低下させることを可能にする。
【００１７】
監視が低頻度の事象にではなく、コンピュータ装置の連続的数量：たとえばそれの電気消費量に関連する場合、この従来の応答はそれほど役立たない。
【００１８】
連続的数量の場合、規則正しく間隔を置かれるかまたは置かれず、かつ数量に対する可能な値の範囲全体を包含する特定の数の値閾値を規定することが公知である。閾値の各オーバーシュートは、その時コンピュータ装置による数量の値の送信を引き起こす事象であるとみなされる。数量の値が安定し、かつ２つの閾値の間で変化する時、この技法は正確でない欠点を有する。
【発明の概要】
【発明が解決しようとする課題】
【００１９】
このように、それにもかかわらず忠実に数量の進行を表す制限された数の測定された数量の値を送信することに適しているコンピュータ装置の数量を監視するための方法を持とうと求められることができる。
【課題を解決するための手段】
【００２０】
このために、コンピュータ装置の数量を監視するための方法であって：
−時間の経過と共に数量によって採用される値を測定するステップであって、それがさらに：
−少なくとも１つの送信基準を満たす測定値または極値を判定するステップであって、送信基準／複数基準が：極値が局所的極値であることを含む極値によって満たされるステップ、
−極値を送信するステップを含むことを特徴とする方法が提唱される。
【００２１】
任意選択で、極値によって満たされる送信基準／複数基準が更に：極値が、所定の差異より大きい送信される最後の局所的極値との差異を有することを含む。
【００２２】
実際に、送信された局所的極値の後に、例えば局所的極値周辺で振動する、前記値に対して小さく変化する特定の数の値がしばしば続くことが観測された。これらの小変化中に全ての局所的極値を送信することは、それらが全てほとんど同じ値を有するので単にわずかの関心があるだけである。このように、それによって極値が所定の差異より大きい送信される最後の局所的極値との差異を有する送信基準を追加することは、小変化中の送信を防止することを可能にする。
【００２３】
任意選択で、送信される最後の局所的極値または小変化の前の最後の局所的極値の後に、１つまたは複数の測定値、または、所定の差異未満の、小変化の前の最後の局所的極値との差異を各々有する、小変化値が続く。
【００２４】
任意選択で、この方法が：
−最後の小変化値、すなわち所定の差異より大きい小変化の前の最後の局所的極値との差異を有する測定値が後に続く小変化値を判定するステップ、
−最後の小変化値を送信するステップを更に含む。
【００２５】
最後の小変化値の送信を用いて、管理サーバは小変化がどれくらい持続するかについて知り、かつしたがって監視された数量の進行についてのより正確な考えを有する。
【００２６】
任意選択で、この方法が：
−交差値およびそれに先行する測定値の１つが所定の閾値より大きく、一方、残りの値がこの所定の閾値未満であるように測定値または交差値を判定するステップ、
−交差値を送信するステップを更に含む。
【００２７】
任意選択で、極値および／または最後の小変化値および／または交差値以外の測定値が、送信されない。
【００２８】
任意選択で、監視された数量がコンピュータ装置の電気消費量である。
【００２９】
コンピュータ装置の数量を監視するための方法であって、各コンピュータ装置が通信ネットワーク経由で同じ管理サーバに接続され：各コンピュータ装置に対して、本発明に従ってコンピュータ装置の数量を監視するための方法を実行するステップを含み、送信された値（複数値）が、通信ネットワーク経由で管理サーバに送信されることを特徴とする方法がさらに提唱される。
【００３０】
通信ネットワークからダウンロード可能な、および／またはコンピュータ可読媒体上に保存される、および／またはプロセッサによって実行可能な、コンピュータプログラムが更に提唱され、それが、前記プログラムが少なくとも１台のコンピュータ上で実行される時、本発明に従う監視方法のステップを実行するための命令を含むことを特徴とする。
【００３１】
コンピュータ装置の数量を監視するためのコンピュータ装置であって：
−時間の経過と共に数量によって採用される値を測定するための手段を備え、それが更に：
−少なくとも１つの送信基準を満たす測定値または極値を判定するための手段であって、送信基準／複数基準が：極値が局所的極値であることを含む極値によって満たされる手段、
−極値を送信するための手段を備えることを特徴とするコンピュータ装置が、さらに提唱される。
【図面の簡単な説明】
【００３２】
本発明の実施態様の例が、次に以下の図を参照して記述される：
【００３３】
【図１】本発明に従うコンピュータシステムの略図である、
【図２】本発明に従う監視方法のブロック図である、および
【図３】図２の方法の進行を例示する監視された数量のタイミング図である。
【発明を実施するための形態】
【００３４】
図１を参照して、本発明に従うコンピュータシステムの例１００が管理サーバ１０２および各々通信ネットワーク１０６経由で管理サーバ１０２に接続されるコンピュータ装置１０４１．．．１０４Ｎ、を備える。
【００３５】
各コンピュータ装置１０４１．．．１０４Ｎは、図２を参照して以下に記載するようなこのコンピュータ装置の電気消費量のような、コンピュータ装置の数量を監視するための本発明に従う方法を実行するための手段１０８を備える。記述される例において、これらの手段は局所的監視用ソフトウェア、すなわち装置によって実行されるソフトウェアの形である。代わりとして、これらの手段１０８が電子回路または電子回路およびコンピュータプログラムの組合せの形であることができる。
【００３６】
局所的監視用ソフトウェアにおいて、以下のパラメータが規定される：
−閾値Ｖｉの数ｎ、
−Ｖｉ＝Ｖｍｉｎ＋ｉｘＶであるような２つの閾値間の差異Ｖ（Ｖｍｉｎは最小閾値である）、
−所定の差異Δ。
【００３７】
これらのパラメータは、コンピュータ装置を監視することを担当する管理者による手動適応を、または管理サーバのソフトウェアによる自己適応をさえ可能にするために管理サーバによって動的に修正可能である。
【００３８】
さらに、局所的監視用ソフトウェアは、最後の測定値（または現在値ｍ（ｔ））に従う値の送信に関して判断をするために以下のコンテクスト変数を使用する：
−現在値ｍ（ｔ）に先行する測定値ｍ（ｔ−１）、
−Ｖｉ（ｔ−１）＜ｍ（ｔ−１）＜Ｖｉ（ｔ−１）＋１：のような、先行値ｍ（ｔ−１）より下に位置する閾値の指数を表す閾値指数ｉ（ｔ−１）、
−時刻ｔ−２と時刻ｔ−１との間の進行の方向ｄ（ｔ−１）、
−真の、偽の値を採用することに適している、先行値が小変化値であるかどうかを示す、ステータスインディケータｏｓｃ（ｔ−１）、
−ｌｅｖと注釈される、小変化の前の最後の局所的極値の値。
【００３９】
これらのコンテクスト変数は、２つの測定の間にメモリ内に記憶される必要がある。それらが数では限られるので、使用される記憶空間は有意でなく、局所的監視用ソフトウェアが低パワーコンピュータ装置によって実行されることを可能にする。
【００４０】
図２を参照して、局所的監視装置によって実現される本発明に従う方法の例２００が、次に記述される。
【００４１】
ステップ２０２中に、局所的監視用ソフトウェアが、時刻ｔで監視された数量の値ｍを測定し、この値は現在値ｍ（ｔ）と呼ばれる。このように、ループが進行するにつれて、局所的監視用ソフトウェアが時間の経過と共に数量によって採用される値ｍを測定する。局所的監視用ソフトウェアは次いでステップ２０４に進む。
【００４２】
ステップ２０４中に、局所的監視用ソフトウェアは所定の閾値Ｖｉが先行値ｍ（ｔ−１）と現在値ｍ（ｔ）との間の監視された値によって交差された、すなわち、これらの２つの値の１つが所定の閾値未満であり、一方残りの値が所定の閾値より大きいかどうかを判定する。記述される例では、局所的監視用ソフトウェアが現在値ｍ（ｔ）に対しておよび先行値ｍ（ｔ−１）に対して閾値指数ｉ（ｔ）およびｉ（ｔ−１）を比較することによってこの判定を実行する。
【００４３】
閾値が交差された場合、現在値ｍ（ｔ）は交差値と呼ばれ、および局所的監視用ソフトウェアは次いでステップ２０６に進み、さもなければ、それはステップ２０８に進む。
【００４４】
ステップ２０６中に、局所的監視用ソフトウェアは管理サーバに交差値（現在値ｍ（ｔ））を送信する。管理サーバが、送信された値ｍ（ｔ）が測定された時刻ｔを判定することができるように、送信が実行される。たとえば、この時刻ｔは、時間（および任意選択で日付）の形で、または測定が規則的な時間間隔でなされる場合指数の形で、のどちらかで値ｍ（ｔ）と同時に送信される。
【００４５】
局所的監視用ソフトウェアは次いでステップ２０８に進む。
【００４６】
ステップ２０８中に、局所的監視用ソフトウェアは測定値または現在値ｍ（ｔ）に先行する、先行値ｍ（ｔ−１）が小変化値であるか否かを判定する。
【００４７】
記述される例では、ステップを実行するために、局所的監視用ソフトウェアが、先行値ｍ（ｔ−１）に関して先行するループで実行されるステップ２２０またはステップ２３０の結果をとる。これらの２つのステップは、以下に記載する。先行値ｍ（ｔ−１）が小変化値である場合、局所的監視用ソフトウェアはステップ２１０に進み、さもなければ、それはステップ２３０に進む。
【００４８】
ステップ２１０中に、局所的監視用ソフトウェアは先行値ｍ（ｔ−１）が局所的極値であるかどうか判定する。
【００４９】
記述される例では、ステップ２１０を実行するために、局所的監視用ソフトウェアはステップ２１２から２１６を実行する。
【００５０】
ステップ２１２中に、局所的監視用ソフトウェアは現在の測定値ｍ（ｔ）が先行する測定値ｍ（ｔ−１）より大きいか、又はそれ未満か判定する。この判定は、時刻ｔ−１と時刻ｔとの間の進行の方向、注釈ｄ（ｔ）を与える。現在値ｍ（ｔ）が先行値ｍ（ｔ−１）より大きい場合、進行の方向ｄ（ｔ）は１と等しく、および現在値ｍ（ｔ）が先行値ｍ（ｔ−１）未満の場合０と等しい。
【００５１】
ステップ２１４中に、局所的監視用ソフトウェアは先行値ｍ（ｔ−１）が測定値、または、先行値ｍ（ｔ−１）に先行する、二重先行値ｍ（ｔ−２）より大きいか、又はそれ未満か判定する。記述される例では、局所的監視用ソフトウェアは以前のループで実行されたステップ２１２の結果、すなわち時刻ｔ−１での進行の方向ｄ（ｔ−１）をとる。
【００５２】
ステップ２１６中に、先行値ｍ（ｔ−１）が、現在値ｍ（ｔ）および二重先行値ｍ（ｔ−２）の両方より大きいか、または未満の場合、先行する測定値が局所的極値であると、局所的監視用ソフトウェアが推測する。記述される例では、局所的監視用ソフトウェアは進行の方向ｄ（ｔ−１）および進行の方向ｄ（ｔ）を比較する。
【００５３】
先行するステップｍ（ｔ−１）がステップ２１０で局所的極値と判定される場合、先行値ｍ（ｔ−１）は以下の条件を満たす：
−先行値ｍ（ｔ−１）は、局所的極値である、および
−先行値ｍ（ｔ−１）は、小変化値でなく（ステップ２０８で判定された結果）、それが所定の差異Δより大きい送信される最後の局所的極値との差異を有することを意味する。
【００５４】
この場合、先行値ｍ（ｔ−１）は極値と呼ばれ、および局所的監視用ソフトウェアはステップ２１８に進む。
【００５５】
先行値ｍ（ｔ−１）がステップ２１０で局所的極値と判定されない場合、局所的監視用ソフトウェアはステップ２２０に進む。
【００５６】
ステップ２１８中に、局所的監視用ソフトウェアは管理サーバに極値（先行値ｍ（ｔ−１））を送信する。ステップ２０６に関しては、管理サーバが、送信された値ｍ（ｔ−１）が測定された時刻ｔ−１を判定することができるように、送信が実行される。局所的監視用ソフトウェアは次いでステップ２２０に進む。
【００５７】
ステップ２２０中に、局所的監視用ソフトウェアは現在値ｍ（ｔ）が小変化値であるか否かを判定する。現在値ｍ（ｔ）が小変化値である場合、先行値ｍ（ｔ−１）（ステップ２１０の結果によれば局所的極値であり、ステップ２１８で送信された）はしたがって、小変化の前の最後の局所的極値、注釈ｌｅｖになる。
【００５８】
記述される例では、ステップ２２０を実行するために、局所的監視用ソフトウェアはステップ２２２から２２６を実行する。
【００５９】
ステップ２２２中に、局所的監視用ソフトウェアは現在値ｍ（ｔ）と先行値ｍ（ｔ−１）との間の差異を判定する。局所的監視用ソフトウェアは次いでステップ２２４に進む。
【００６０】
ステップ２２４中に、局所的監視用ソフトウェアは所定の差異Δと判定される差異を比較する。局所的監視用ソフトウェアは次いでステップ２２６に進む。
【００６１】
ステップ２２６中に、局所的監視用ソフトウェアはステップ２２４で実行された比較から、判定される差異が所定の差異Δ未満の場合、監視された数量の現在値ｍ（ｔ）は小変化値であると推測する。
【００６２】
局所的監視用ソフトウェアは次いでステップ２２８に進む。
【００６３】
ステップ２２８中に、時間指数ｔが＋１増加され、および局所的監視用ソフトウェアはステップ２０２に戻る。
【００６４】
ステップ２３０中に、先行値ｍ（ｔ−１）が小変化値であると判定される時、局所的監視用ソフトウェアはステップ２０８の残りに進み、局所的監視用ソフトウェアは、現在値ｍ（ｔ）が小変化値であるか否かを判定する。
【００６５】
記述される例では、ステップ２３０を実行するために、局所的監視用ソフトウェアはステップ２３２から２３６を実行する。
【００６６】
ステップ２３２中に、局所的監視用ソフトウェアは現在の測定値ｍ（ｔ）と小変化の前の最後の局所的極値ｌｅｖとの間の差異を判定する。局所的監視用ソフトウェアは次いでステップ２３４に進む。
【００６７】
ステップ２３４中に、局所的監視用ソフトウェアは所定の差異Δと判定される差異を比較する。局所的監視用ソフトウェアは次いでステップ２３６に進む。
【００６８】
ステップ２３６中に、局所的監視用ソフトウェアはステップ２３４で実行される比較から、判定される差異が所定の差異Δ未満の場合、現在値ｍ（ｔ）は小変化値であると推測する。局所的監視用ソフトウェアは、現在値ｍ（ｔ）がさもなければ小変化値でないと推測する。
【００６９】
現在値ｍ（ｔ）が小変化値と判定されない場合、先行値ｍ（ｔ−１）は以下の条件を満たす：
−先行値ｍ（ｔ−１）は、小変化値である、
−先行値ｍ（ｔ−１）の後に、小変化値でない測定値が続く。
【００７０】
このように、先行値は最後の小変化値であり、および局所的監視用ソフトウェアは次いでステップ２３８に進む。
【００７１】
現在値ｍ（ｔ）が小変化値と判定されない場合、局所的監視用ソフトウェアは次いでステップ２２８に進む。
【００７２】
ステップ２３８中に、局所的監視用ソフトウェアは管理サーバに最後の小変化値（先行値ｍ（ｔ−１））を送信する。ステップ２０６および２１８に関しては、管理サーバが、送信された値ｍ（ｔ−１）が測定された時刻ｔ−１を判定することができるように、送信が実行される。局所的監視用ソフトウェアは次いでステップ２２８に進む。
【００７３】
図３を参照して、図２内の方法の進行の一例が、記述される。この例では、単一閾値Ｖが構想される。
【００７４】
ｔ＝３において
【００７５】
局所的監視用ソフトウェアが、閾値Ｖが交差されたと判定し、かつ管理サーバに値ｍ（３）を送信する（ステップ２０４および２０６）。
【００７６】
局所的監視用ソフトウェアが更に、値ｍ（２）が小変化値でなく、局所的極値であると判定し、したがって、値ｍ（２）を送信する（ステップ２０８、２１０および２１８）。
【００７７】
値ｍ（３）が小変化値でないと局所的監視用ソフトウェアが更に判定する（ステップ２２０）。
【００７８】
ｔ＝４において
【００７９】
局所的監視用ソフトウェアが、閾値Ｖが交差されたと判定し、かつ管理サーバに値ｍ（４）を送信する（ステップ２０４および２０６）。
【００８０】
局所的監視用ソフトウェアが更に、値ｍ（３）が小変化値でなく、局所的極値であると判定し、したがって、値ｍ（３）を送信する（ステップ２０８、２１０および２１８）。
【００８１】
値ｍ（４）が小変化値でないと局所的監視用ソフトウェアが更に判定する（ステップ２２０）。
【００８２】
ｔ＝５において
【００８３】
局所的監視用ソフトウェアが、値ｍ（４）が小変化値でなく、局所的極値であると判定し、したがって、値ｍ（４）を送信する（ステップ２０８、２１０および２１８）。
【００８４】
値ｍ（５）が小変化値であると、局所的監視用ソフトウェアが更に判定する（ステップ２２０）。
【００８５】
値ｍ（４）は、したがって、小変化の前の最後の局所的極値ｌｅｖである。
【００８６】
ｔ＝６において
【００８７】
値ｍ（５）が小変化値であると、局所的監視用ソフトウェアが判定する（ステップ２０８）。
【００８８】
値ｍ（６）が小変化値であると、局所的監視用ソフトウェアが更に判定する（ステップ２３０）。
【００８９】
ｔ＝７において
【００９０】
値ｍ（６）が小変化値であると、局所的監視用ソフトウェアが判定する（ステップ２０８）。
【００９１】
値ｍ（７）が小変化値であると、局所的監視用ソフトウェアが更に判定する（ステップ２３０）。
【００９２】
ｔ＝８において
【００９３】
値ｍ（７）が小変化値（ステップ２０８）であるがしかし、値ｍ（８）は小変化値でない（ステップ２３０）と、局所的監視用ソフトウェアが判定する。
【００９４】
それゆえに、局所的監視用ソフトウェアは値ｍ（７）を送信する（ステップ２３８）。
【００９５】
ｔ＝９において
【００９６】
局所的監視用ソフトウェアが、閾値Ｖが交差されたと判定し、かつ管理サーバに値ｍ（９）を送信する（ステップ２０４および２０６）。
【００９７】
局所的監視用ソフトウェアが更に、値ｍ（８）が小変化値でなく（ステップ２０８）、かつそれが局所的極値でないと判定する（ステップ２１０）。
【００９８】
ｔ＝１０において
【００９９】
局所的監視用ソフトウェアが更に、値ｍ（９）が小変化値でなく、かつ局所的極値であると判定し、したがって、値ｍ（９）を送信する（ステップ２０８、２１０および２１８）。
【０１００】
本発明は、上記した実施態様の例に限定されないが、しかしながら以下に請求項によって規定される。
【０１０１】
実際に、本願明細書に開示される教示に照らして、種々の変更が上記した実施態様の例に対してなされることができることは当業者にとって明らかである。
【０１０２】
たとえば、図２および３を参照して記述される方法の１つの拡張において、送信ステップ２０６、２１８および２３８において送信間近の値がすでに以前に送信されていたかどうか、局所的監視用ソフトウェアがチェックする。これはたとえば、先行値が送信されたか否かを記憶するコンテクスト変数を追加することによって、かつ各送信の前にこの変数の値をチェックすることによって、実現されることができる。送信間近の値が以前に送信された場合、値は再び送信されず、それらが例えば値ｍ（３）およびｍ（９）が各々二度送信される図３内の例に現れるように、二重の送信を防止することを可能にする。
【０１０３】
さらに、以下の請求項において、使用される用語は、請求項を上記した実施態様の例における特徴に限定すると解釈されるべきでなく、しかし、当業者によって彼（女）らの一般知識を適用することによって構想されることができる任意の等価物を含むように解釈されるべきである。
【符号の説明】
【０１０４】
１００  コンピュータシステム
１０２  管理サーバ
１０４１．．．１０４Ｎ  コンピュータ装置
１０６  通信ネットワーク
１０８  手段
ｄ（ｔ）  進行の方向
ｉ（ｔ）  閾値指数
ｌｅｖ  小変化の前の最後の局所的極値の値
ｍ（ｔ−２）  二重先行値
ｍ（ｔ−１）  先行値
ｍ（ｔ）  現在値
ｎ  数            
ｏｓｃ（ｔ）  ステータスインディケータ
ｔ  時刻
Ｖ  閾値間の差異
Ｖｉ  閾値
Ｖｍｉｎ  最小閾値
Δ  所定の差異
【図１】
2014533856.tif 000003
【図２】
2014533856.tif 000004
【図３】
2014533856.tif 000005
【国際調査報告】
2014533856.tif 000006
2014533856.tif 000007
2014533856.tif 000008
2014533856.tif 000009
2014533856.tif 000010
2014533856.tif 000011